(57)【要約】【課題】従来の遠隔検針業務支援システムで電力、ガス等の使用量を測定処理する方法の例としては、メーターを撮影しその画像を電子メールで送信する方法が示されている。この技術においては、電力、ガス等の需要家にインターネットなどの通信網への接続手段を設置する必要があり、住宅事業によっては設置工事費用が多大になり、また、需要家の変更に伴う工事費が大きくなるという欠点があった。そこで、電力、水道などの複数のメーターのモニター情報をそれぞれの情報収集装置へ経済的に確実に効率良く収集するテレメトリシステムを提供することを目的とする。【解決手段】上記課題を解決するために、本発明は、例えば電力、ガス等メーターのモニター情報を収集するテレメトリシステムの装置の運用パラメータの設定をセンター装置からの遠隔によるダウンロードにより効率的経済的に実施する。【選択図】  図１
2004363949.tif 000002
【特許請求の範囲】
【請求項１】
モニターを有する情報検知装置が該モニターからのモニター情報をセンター装置の指定する配信先の情報収集装置に送信するテレメトリシステムであって、
制御装置を介して該情報検知装置からの該モニター情報を受信し、該モニター情報の配信情報や内容を編集して該制御装置を介して該情報検知装置に送信するセンター装置と、
該モニター情報を該情報検知装置から受信して該センター装置に送信し、該配信情報や内容を編集したモニター情報を該センター装置から受信して該情報検知装置に送信する制御装置と、
該制御装置を介して該モニター情報を該センター装置に送信し、該制御装置を介して該配信情報や内容を編集したモニター情報を該センター装置から受信し、指定された配信先の情報収集装置に該配信情報や内容を編集したモニター情報を送信する情報検知装置と、
該情報検知装置から該センター装置の指定するモニター情報を受信する情報収集装置と、を含むテレメトリシステム。
【請求項２】
前記情報検知装置と前記制御装置との間の送受信、及び前記情報検知装置と前記情報収集装置との間の送受信が無線伝送方式によることを特徴とする請求項１に記載のテレメトリシステム。
【請求項３】
前記情報検知装置がＲＦＩＤトランスポンダを備え、
前記情報検知装置と前記制御装置との間の送受信、及び前記情報検知装置と前記情報収集装置との間の送受信が、該ＲＦＩＤトランスポンダを経由する伝送方式によることを特徴とする請求項１に記載のテレメトリシステム。
【請求項４】
前記情報検知装置がＲＦＩＤトランスポンダを備え、
前記情報検知装置から前記制御装置への送信は無線伝送方式により、前記制御装置から前記情報検知装置への送信、及び前記情報検知装置から前記情報収集装置への送信が、該ＲＦＩＤトランスポンダを経由する伝送方式によることを特徴とする請求項１に記載のテレメトリシステム。
【請求項５】
前記情報検知装置が配信先ごとに異なるＲＦＩＤトランスポンダを備えることを特徴とする請求項４に記載のテレメトリシステム
【発明の詳細な説明】
【０００１】
【発明の属する技術分野】
本発明は、例えば電力、水道などの複数のメーターのモニター情報を遠隔地から確実に効率良く収集するテレメトリシステムに関する。
【０００２】
【従来の技術】
家庭あるいは工場における電力、ガス等の複数の使用量の検針システムの従来技術を図１６に示す（例えば、特許文献１参照。）。図１６において、遠隔検針業務支援システムは需要家検針システム１０１、供給事業者システム１０２、データ収集管理センター１０３、決済機関システム１０４、及び通信網１０５により構成される。
【０００３】
需要家検針システム１０１は、電力、ガス等の使用者の家屋等に備えられ使用量を測定処理する。データ収集管理センター１０３は需要家検針システム１０１が収集した使用量情報を収集し、使用料金を算出し、各使用者と決済機関への請求処理を行う。供給事業者システム１０２は電力、ガス等を供給する事業者のシステムであり、使用量及び使用料金の情報を受信し記憶する。決済機関システム１０４は銀行等が保有し、使用料金の決済情報を受信し、決済を実行する。通信網１０５は、インターネット、公衆網等の通信網である。データ収集管理センター１０３は通信網１０５を介して所定の日に各需要家検針システム１０１に対して検針指示を送信し、検針指示を受信した需要家検針システム１０１は、検針結果をデータ収集管理センター１０３に通信網１０５を介して返信する。データ収集管理センター１０３はこの使用量のデータに基づいて、決済機関及び各使用者に対して請求書を発行する。請求書を受信した決済機関は、予め指定された決済方法によって当該使用料金について決済する。
【０００４】
この遠隔検針業務支援システムの需要家検針システム１０１が電力、ガス等の使用量を測定処理する方法の例としては、メーターを撮影しその画像を電子メールで送信する方法が示されている。以上の従来技術においては、電力、ガス等の需要家にインターネットなどの通信網への接続手段を設置する必要があり、住宅事業によっては設置工事費用が多大になり、また、需要家の変更に伴う工事費が大きくなるという欠点があった。
【０００５】
【特許文献１】
特願２００１−１１２２５４（遠隔検針業務支援システム）
【０００６】
【発明が解決しようとする課題】
本発明は、このような課題を解決するために、例えば電力、水道などの複数のメーターのモニター情報をそれぞれの情報収集装置へ経済的に確実に効率良く収集するテレメトリシステムを提供することを目的とする。
【０００７】
【課題を解決するための手段】
上記課題を解決するために、本願発明は、モニターを有する情報検知装置が該モニターからのモニター情報をセンター装置の指定する配信先の情報収集装置に送信するテレメトリシステムであって、制御装置を介して該情報検知装置からの該モニター情報を受信し、該モニター情報の配信情報や内容を編集して該制御装置を介して該情報検知装置に送信するセンター装置と、該モニター情報を該情報検知装置から受信して該センター装置に送信し、該配信情報や内容を編集したモニター情報を該センター装置から受信して該情報検知装置に送信する制御装置と、該制御装置を介して該モニター情報を該センター装置に送信し、該制御装置を介して該配信情報や内容を編集したモニター情報を該センター装置から受信し、指定された配信先の情報収集装置に該配信情報や内容を編集したモニター情報を送信する情報検知装置と、該情報検知装置から該センター装置の指定するモニター情報を受信する情報収集装置と、を含むテレメトリシステムである。
本願発明により、複数のモニター情報をそれぞれの情報収集装置へ、確実に収集するテレメトリシステムを提供することができる。
【０００８】
本願発明のテレメトリシステムは、前記情報検知装置と前記制御装置との間の送受信、及び前記情報検知装置と前記情報収集装置との間の送受信が無線伝送方式によることを含んでもよい。
本願発明により、さらに、複数のモニター情報をそれぞれの情報収集装置へ、経済的に、確実に収集するテレメトリシステムを提供することができる。
【０００９】
本願発明のテレメトリシステムは、前記情報検知装置がＲＦＩＤトランスポンダを備え、前記情報検知装置と前記制御装置との間の送受信、及び前記情報検知装置と前記情報収集装置との間の送受信が、該ＲＦＩＤトランスポンダを経由する伝送方式によることを含んでもよい。
本願発明により、さらに、複数のモニター情報をそれぞれの情報収集装置へ、より経済的に、確実に収集するテレメトリシステムを提供することができる。
【００１０】
本願発明のテレメトリシステムは、前記情報検知装置がＲＦＩＤトランスポンダを備え、前記情報検知装置から前記制御装置への送信は無線伝送方式により、前記制御装置から前記情報検知装置への送信、及び前記情報検知装置から前記情報収集装置への送信が、該ＲＦＩＤトランスポンダを経由する伝送方式によることを含んでもよい。
本願発明により、さらに、複数のモニター情報をそれぞれの情報収集装置へ、より経済的に、より確実に収集するテレメトリシステムを提供することができる。
【００１１】
本願発明のテレメトリシステムは、前記情報検知装置がＲＦＩＤトランスポンダを備え、前記情報検知装置から前記制御装置の間の送信は無線伝送方式により、前記制御装置から前記情報検知装置への送信、及び前記情報検知装置から前記情報収集装置への送信が、該ＲＦＩＤトランスポンダを経由する伝送方式によるものであって、かつ前記情報検知装置が配信先ごとに異なるＲＦＩＤトランスポンダを有することを含んでもよい。
本願発明により、さらに、複数のモニター情報をそれぞれの情報収集装置へ、より経済的に、より確実に収集し、さらにモニター情報の変更に柔軟に対応できるテレメトリシステムを提供することができる。
【００１２】
本願発明において、制御装置から情報検知装置への送信には、制御装置が情報検知装置のＲＦＩＤトランスポンダに情報を書き込むことも含まれる。また、情報検知装置から情報収集装置への送信には、情報検知装置の有するＲＦＩＤトランスポンダの情報を情報収集装置が読み取ることも含まれる。
【００１３】
本願において、モニターとは、電気使用量や水道使用量等を検出する回路をいい、モニター情報とは、モニターが検出した電気使用量や水道使用量等をいう。
【００１４】
【発明の実施の形態】
以下、本願発明の実施の形態について、添付の図面を参照して説明する。
（実施の形態１）
本願発明の実施の形態のテレメトリシステムは、モニターを有する情報検知装置が該モニターからのモニター情報をセンター装置の指定する配信先の情報収集装置に送信するテレメトリシステムであって、制御装置を介して該情報検知装置からの該モニター情報を受信し、該モニター情報の配信情報や内容を編集して該制御装置を介して該情報検知装置に送信するセンター装置と、該モニター情報を該情報検知装置から受信して該センター装置に送信し、該配信情報や内容を編集したモニター情報を該センター装置から受信して該情報検知装置に送信する制御装置と、該制御装置を介して該モニター情報を該センター装置に送信し、該制御装置を介して該配信情報や内容を編集したモニター情報を該センター装置から受信し、指定された配信先の情報収集装置に該配信情報や内容を編集したモニター情報を送信する情報検知装置と、該情報検知装置から該センター装置の指定するモニター情報を受信する情報収集装置と、を含むテレメトリシステムである。
【００１５】
本願発明の実施の形態のテレメトリシステムの構成を添付の図を参照して説明する。本願発明の実施の形態のテレメトリシステムの構成を図１に示す。図１において本願発明の実施の形態のテレメトリシステムは、１以上の情報検知装置１１、制御装置２、センター装置３、情報収集装置４により構成する。また、前記情報収集装置４は１以上存在することがあり、各々の前記情報検知装置１１は必要に応じて１以上の前記情報収集装置４と通信手段により接続し、また、１以上の前記情報検知装置１１は前記制御装置２と通信手段により接続する。
【００１６】
図１においては前記情報検知装置１１の各々と前記制御装置２、および前記情報検知装置１１の各々と前記情報収集装置４の各々を接続する通信手段は図面の煩雑さを避けるために一部のみを実線で示し、他は破線で示しているが、実線と破線は機能的な差を表現するものではない。さらに、前記制御装置２は前記センター装置３と通信手段により接続しているが、前記センター装置３が前記制御装置２から遠隔地にある場合は、インターネットなどのネットワークを介して接続する場合もある。
【００１７】
本願発明の実施の形態のテレメトリシステムの構成する各装置の機能を説明する。前記情報検知装置１１は、例えば家屋に設置される電力やガスのメーターにより測定される電力使用量あるいはガス使用量などの情報を検知する装置であり、この検知したモニター情報を記憶し、前記制御装置２を介して前記センター装置３へ、あるいは前記情報収集装置４へ送信する機能を有する。ここで、前記情報検知装置１１が情報を検知するためのモニターとしてのセンサの種類やモニター情報の種類などのセンサ管理情報や、前記情報検知装置１１がモニター情報を検知する時間間隔やモニター情報を送受信する相手となる前記情報収集装置４の番号等の運用パラメータ、等の前記情報検知装置１１の動作を設定する情報は前記情報検知装置１１の設置時に設定し、あるいは運用開始後に前記情報検知装置１１を操作して設定しまたは変更し、あるいは前記制御装置２を介して前記センター装置３が送信し、または前記情報収集装置４が送信し、設定しまたは変更することが可能である。
【００１８】
前記制御装置２は１以上の前記情報検知装置１１が送信するモニター情報を受信して収集して前記センター装置３へ送信し、さらに前記センター装置３が送信する情報を受信し、指定された前記情報検知装置１１へ送信する機能を有する。
【００１９】
前記センター装置３は前記情報検知装置１１が前記制御装置２を介して送信するモニター情報を受信して解析し、かつ前記センター装置３の内部に蓄積している情報を基に、モニター情報の配信先となる前記情報収集装置４を指定する配信情報や内容を編集して前記制御装置２を介して、指定された前記情報検知装置１１へ送信するとともに、さらに前記情報検知装置１１に対して、前記情報検知装置１１の動作を設定するセンサ管理情報や運用パラメータを、前記制御装置２を介して送信し、設定する機能を有する。
【００２０】
前記情報収集装置４は、例えば電力あるいはガスのメーターが示す使用量のモニター情報を収集する検針者が携帯する情報収集装置あるいは身体装着型のウエアラブル情報収集装置であり、所定の周期あるいは任意の周期で前記情報検知装置１１にアクセスして、所定のモニター情報を収集するとともに、さらに前記情報検知装置１１に対して、前記情報検知装置１１の動作を設定するセンサ管理情報や運用パラメータ等を送信し、設定する機能を有する。
【００２１】
前記情報検知装置１１の構成を添付の図を参照して説明する。前記情報検知装置１１の構成例を図２に示す。図２において、前記情報検知装置１１は１以上のセンサ素子により構成するモニターとしてのセンサ２１、１以上の信号変換素子により構成する変換回路２２、データ収集回路２３、収集データ蓄積回路２４、データ転送管理回路２５、データ転送回路２６、内部バス２７、制御回路２８、センサ管理情報蓄積回路２９、時間情報回路３０、運用パラメータ蓄積回路３１により構成する。
【００２２】
また、モニターとしての前記センサ２１を構成する前記センサ素子の各々は、個別に前記信号変換回路２２を構成する前記信号変換素子の各々と信号線により接続し、前記信号変換回路２２を構成する１以上の信号変換素子は各々前記データ収集回路２３と信号線により接続している。
【００２３】
また前記データ収集回路２３、前記収集データ蓄積回路２４、前記データ転送管理回路２５、前記データ転送回路２６は順に信号線により接続している。前記データ転送回路２６は通信手段により、図１に示す前記制御装置２および前記情報収集装置４と接続している。前記データ収集回路２３、前記収集データ蓄積回路２４、前記データ転送管理回路２５、前記データ転送回路２６の各々は、信号線により前記内部バス２７と接続している。
【００２４】
さらに、前記制御回路２８は前記内部バス２７と信号線により接続するとともに、前記センサ管理情報蓄積回路２９、前記時間情報回路３０、前記運用パラメータ蓄積回路３１とそれぞれ信号線により接続している。図２あるいは以下に説明する構成図においては、電源など通常の技術により実現できる構成要素は表示していない。
【００２５】
前記情報検知装置１１を構成する各回路の機能を説明する。モニターとしての前記センサ２１は例えば電力メーターあるいはガスメーターから使用量などを所定の時間間隔で検知し、モニター情報を取得する機能を有する。
前記信号変換回路２２はモニターとしての前記センサ２１が検知したモニター情報をデジタル信号に変換し、前記データ収集回路２３へ送信する機能を有する。
【００２６】
前記データ収集回路２３は前記信号変換回路２２が送信するモニター情報を受信し、所定の時間間隔で収集して、所定のフォーマットに整えて、前記収集データ蓄積回路２４へ送信する機能を有する。
【００２７】
前記収集データ蓄積回路２４は前記データ収集回路２３が送信するモニター情報を受信して蓄積し、さらに前記データ転送管理回路２５が送信する配信情報や内容が編集されたモニター情報を受信し、蓄積する機能を有する。
【００２８】
前記データ転送管理回路２５は所定の時間間隔で前記収集データ蓄積回路２４から所定のモニター情報を取り出し、前記データ転送回路２６へ送信するとともに、前記データ転送回路２６から送信されてくる配信情報や内容が編集されたモニター情報を受信し、前記収集データ蓄積回路２４へ送信し、さらに前記データ転送回路２６が送信する、モニターとしての前記センサ２１の種類やモニター情報の種類などのセンサ管理情報や、モニター情報を検知する時間間隔やモニター情報を送受信する相手となる前記情報収集装置４の番号などの運用パラメータ等、を受信して前記内部バス２７を介して前記制御回路２８へ送信する機能を有する。  前記データ転送回路２６は前記データ転送管理回路２５が前記収集データ蓄積回路２４から読み出して送信するモニター情報を受信し、図１に示す前記制御装置２へ送信し、さらに前記データ転送管理回路２５が前記収集データ蓄積回路２４から読み出して送信する配信情報や内容が編集されたモニター情報を受信し、前記情報収集装置４へ送信するとともに、前記制御装置２あるいは前記情報収集装置４が送信する前記情報検知装置１１のセンサ管理情報や運用パラメータ等の情報を受信して、前記データ転送管理回路２５へ送信する機能を有する。
【００２９】
さらに、前記データ収集回路２３、前記収集データ蓄積回路２４、前記データ転送管理回路２５、前記データ転送回路２６の各々は前記内部バス２７を介して前記制御回路２８と制御信号を送受信する機能を有する。
【００３０】
前記制御回路２８は、前記情報検知装置１１の動作を設定するセンサ管理情報や運用パラメータの情報等が、前記情報検知装置１１の設置時または運用時に前記データ転送回路２６および前記データ転送管理回路２５を介して入力された場合、あるいは図１に示す前記制御装置２を介して前記センター装置３から、あるいは前記情報収集装置４から、前記データ転送回路２６および前記データ転送管理回路２５を介して送信された場合、これらの情報を前記センサ管理情報蓄積回路２９あるいは前記運用パラメータ蓄積回路３１へ適切に蓄積するとともに、さらに前記情報検知装置１１の全体の動作を制御する機能を有する。
【００３１】
前記センサ管理情報蓄積回路２９は、前記情報検知装置１１の設置時に外部から設定され、または図１に示す前記制御装置２を介して前記センター装置３から設定され、あるいは前記情報収集装置４から設定される、モニターとしての前記センサ２１の種類やモニター情報の種類などのセンサ管理情報を、前記内部バス２７を介して前記制御回路２８から受信して、蓄積する機能を有する。
【００３２】
前記時間情報回路３０は時間情報を各回路へ送信する機能を有する。
【００３３】
前記運用パラメータ蓄積回路３１は、前記情報検知装置１１の設置時に外部から設定され、または図１に示す前記制御装置２を介して前記センター装置３から設定され、あるいは前記情報収集装置４から設定される、モニター情報を検知する時間間隔やモニター情報を送受信する相手となる前記情報収集装置４の番号などの運用パラメータを、前記内部バス２７を介して前記制御回路２８から受信して、蓄積する機能を有する。
【００３４】
次に前記制御装置２の構成例を図３により説明する。図３において前記制御装置２はデータ転送回路４１、データ転送管理回路４２、ネットワーク接続回路４３、内部バス４４、時間情報回路４５、制御回路４６により構成する。
【００３５】
前記データ転送回路４１は１以上の前記情報検知装置１１と通信手段で接続し、さらに前記データ転送管理回路４２と信号線により接続している。また前記データ転送管理回路４２は前記ネットワーク接続回路４３と信号線により接続し、前記ネットワーク接続回路４３は通信手段により、あるいはさらにネットワークを介して、前記センター装置３と接続している。さらに、前記データ転送回路４１、前記データ転送管理回路４２、前記ネットワーク接続回路４３はそれぞれ前記内部バス４４を介して前記制御回路４６に接続し、前記制御回路４６は前記時間情報回路４５と信号線により接続している。
【００３６】
次に前記制御装置２を構成する回路の機能を説明する。前記データ転送回路４１は１以上の前記情報検知装置１１が送信するモニター情報を受信し、収集して、前記データ転送管理回路４２へ送信するとともに、前記センター装置３が送信する配信情報や内容が編集されたモニター情報、および前記情報検知装置１１の動作を設定するセンサ管理情報や運用パラメータ等の情報を前記データ転送管理回路４２から受信し、配信先として指定された前記情報検知装置１１へ送信する機能を有する。
【００３７】
前記データ転送管理回路４２は前記制御回路４６の制御により、前記データ転送回路４１と前記ネットワーク接続回路４３との間のモニター情報、配信情報や内容を編集されたモニター情報、および前記情報検知装置１１の動作を設定するセンサ管理情報や運用パラメータ等の情報の転送を管理する機能を有する。
【００３８】
前記ネットワーク接続回路４３は前記データ転送管理回路４２が送信するモニター情報を受信し、通信手段により、あるいはさらにネットワークを介して、前記センター装置３へ送信するとともに、前記センター装置３が送信する配信情報や内容が編集されたモニター情報、および前記情報検知装置１１の動作を設定するセンサ管理情報や運用パラメータ等の情報を受信し、前記データ転送管理回路４２へ送信する機能を有する。
【００３９】
前記制御回路４６は前記内部バス４４を介して、前記データ転送回路４１、前記データ転送管理回路４２、前記ネットワーク接続回路４３の動作を制御する機能を有する。
前記時間情報回路４５は時間情報を各回路へ送信する機能を有する。
【００４０】
次に、前記センター装置３の構成例を図４により説明する。前記センター装置３は、例えば電力あるいはガス等のメーターが示す使用量のモニター情報を収集するセンター装置であり、構成例を図４に示す。
【００４１】
図４において前記センター装置３はデータ転送回路７１、データ蓄積回路７２、データ入出力回路７３、内部バス７４、時間情報回路７５、制御回路７６により構成する。前記データ転送回路７１は前記制御装置２と通信手段により接続し、さらに前記データ蓄積回路７２と信号線により接続している。また前記データ蓄積回路７２は前記データ転送回路７１と信号線により接続し、さらに前記データ入出力回路７３と信号線により接続している。前記データ入出力回路７３は前記データ蓄積回路７２と信号線により接続し、さらに、外部との情報の入出力手段を有する。前記データ転送回路７１、前記データ蓄積回路７２、前記データ入出力回路７３のそれぞれは前記内部バス７４と信号線により接続している。前記制御回路７６は前記内部バス７４と信号線により接続するとともに前記時間情報回路７５と信号線により接続している。
【００４２】
次に、前記センター装置３を構成する回路の機能を図４により説明する。前記データ転送回路７１は前記制御装置２が送信するモニター情報を受信し、前記データ蓄積回路７２へ送信するとともに、前記データ蓄積回路７２に蓄積されている配信情報や内容が編集されたモニター情報、１以上の前記情報検知装置１１の機能を設定するセンサ管理情報や運用パラメータ等の情報を読み出し、前記制御装置２へ送信する機能を有する。前記データ蓄積回路７２はデータ入出力回路７３が送信する１以上の前記情報検知装置１１の機能を設定するセンサ管理情報や運用パラメータ等の情報を蓄積し、さらに前記データ転送回路７１が送信するモニター情報を受信し蓄積し、さらにこのモニター情報を前記制御回路７６が解析し、配信情報や内容を編集したモニター情報を受信し蓄積する機能を有する。
【００４３】
前記データ入出力回路７３は外部からのデータ送信要求信号を受信した場合、前記データ蓄積回路７２が蓄積するモニター情報や配信情報や内容を編集したモニター情報を読み出し外部へ送信するとともに、外部から１以上の前記情報検知装置１１の機能を設定するセンサ管理情報や運用パラメータ等の情報を受信した場合、その情報を前記データ蓄積回路７２へ蓄積する機能を有する。さらに、データ転送回路７１、データ蓄積回路７２、データ入出力回路７３は、それぞれ前記内部バス７４を介して制御信号を送受信する機能を有する。
【００４４】
前記時間情報回路７５は時間情報を各回路へ送信する機能を有する。
前記制御回路７６は前記データ転送回路７１が前記制御装置２から受信するモニター情報を前記内部バス７４を介して受信し、前記データ蓄積回路７２が蓄積する情報を基に解析し、配信情報や内容を編集し、前記データ蓄積回路７２に蓄積するとともに、前記データ転送回路７１、前記データ蓄積回路７２、前記データ入出力回路７３の相互間、および前記データ転送回路７１、前記データ入出力回路７３の各々と外部との情報の送受信を制御する機能を有する。
【００４５】
次に、前記情報収集装置４の構成例を図５により説明する。前記情報収集装置４は、例えば電力あるいはガス等のメーターが示す使用量のモニター情報を収集する検針者が携帯する情報収集装置あるいは身体装着型のウエアラブル情報収集装置であり、構成の一例を図５に示す。図５において前記情報収集装置４はデータ転送回路６１、データ蓄積回路６２、データ入出力回路６３、内部バス６４、時間情報回路６５、制御回路６６、制御スイッチ６７により構成する。
【００４６】
前記データ転送回路６１は１以上の前記情報検知装置１１と通信手段で接続し、さらに前記データ蓄積回路６２と信号線により接続している。前記データ蓄積回路６２は前記データ転送回路６１と信号線により接続し、さらに前記データ入出力回路６３と信号線により接続している。前記データ入出力回路６３は前記データ蓄積回路６２と信号線により接続し、さらに、外部との情報の入出力手段を有する。前記データ転送回路６１、前記データ蓄積回路６２、前記データ入出力回路６３の各々は前記内部バス６４と信号線により接続している。前記制御回路６６は前記内部バス６４と信号線により接続するとともに前記時間情報回路６５と信号線により接続し、さらに制御スイッチ６７と信号線により接続している。
【００４７】
次に、前記情報収集装置４を構成する回路の機能を図５により説明する。前記データ転送回路６１は所定の１以上の前記情報検知装置１１に対して、配信情報や内容が編集されたモニター情報の送信要求信号を送信し、この信号に応じて、所定の１以上の前記情報検知装置１１が送信する配信情報や内容が編集されたモニター情報を受信し収集して、前記データ蓄積回路６２へ送信するとともに、前記データ蓄積回路６２に蓄積されている１以上の前記情報検知装置１１の機能を設定するセンサ管理情報や運用パラメータ等の情報を読み出し、所定の１以上の前記情報検知装置１１へ送信する機能を有する。
【００４８】
データ蓄積回路６２は前記データ転送回路６１が送信する配信情報や内容が編集されたモニター情報、およびデータ入出力回路６３が送信する所定の１以上の前記情報検知装置１１の機能を設定するセンサ管理情報や運用パラメータ等の情報を蓄積する機能を有する。
【００４９】
前記データ入出力回路６３は外部からのデータ送信要求信号を受信した場合、前記データ蓄積回路６２が蓄積する配信情報や内容が編集されたモニター情報を読み出し、外部へ送信するとともに、外部から所定の１以上の前記情報検知装置１１の機能を設定するセンサ管理情報や運用パラメータ等の情報を受信した場合、その情報を前記データ蓄積回路６２へ送信する機能を有する。
さらに、データ転送回路６１、データ蓄積回路６２、データ入出力回路６３は、それぞれ前記内部バス６４を介して制御信号を送受信する機能を有する。
【００５０】
前記時間情報回路６５は時間情報を各回路へ送信する機能を有する。
前記制御回路６６は制御スイッチ６７を外部から操作し制御信号を送信した場合、前記内部バス６４を介して、前記データ転送回路６１を制御して、所定の１以上の前記情報検知装置１１に対して情報の送信要求信号を送信させる機能を有し、さらに前記データ転送回路６１、前記データ蓄積回路６２、前記データ入出力回路６３の相互間、および前記データ転送回路６１、前記データ入出力回路６３の各々と外部との情報の送受信を制御する機能を有する。
【００５１】
本願発明の実施の形態のテレメトリシステムの動作を説明する。本願発明の実施の形態のテレメトリシステムの動作について、図１を参照して説明する。図１示す前記情報検知装置１１の各々は検知し収集したモニター情報を、所定のデータフォーマットに整えて前記制御装置２へ送信し、前記制御装置２はモニター情報を受信し前記センター装置３へ送信する。前記センター装置３はモニター情報を受信し、解析して、各々のモニター情報の配信先となる前記情報収集装置４を指定する配信情報や内容を編集して、前記制御装置２へ送信する。ここで、前記センター装置３がモニター情報を編集する編集内容としては、例えば、ガス使用量をカロリー量に単位を換算する、電力使用量を料金に変換する、バンドルサービス用に割引計算をする、過剰使用に対するアラーム情報を付加する、などがある。
【００５２】
このように前記センター装置３が送信する配信情報や内容が編集されたモニター情報を前記制御装置２は受信し、指定された前記情報検知装置１１へ送信する。前記情報検知装置１１は前記センター装置３が配信先の前記情報収集装置４を指定する配信情報や内容を編集したモニター情報を受信し、蓄積して待機する。その後、前記情報検知装置１１は前記センター装置３が指定した前記情報収集装置４から、配信情報や内容が編集されたモニター情報の送信要求を受信すると、該当する配信情報や内容が編集されたモニター情報を、該当する前記情報収集装置４へ送信する。
【００５３】
次に前記情報検知装置１１の動作を図２を参照して説明する。図２において、前記情報検知装置１１のモニターとしての前記センサ２１を構成する前記センサ素子の各々は、例えば電力メーターあるいはガスメーターから使用量などの情報を検出し、各々に接続する前記信号変換回路２２へ送信する。モニターとしての前記センサ２１に接続する前記信号変換回路２２はこのモニター情報をデジタル信号に変換する。前記データ収集回路２３は前記信号変換回路２２がデジタル信号に変換したモニター情報を収集し、さらに前記センサ管理情報蓄積回路２９が蓄積しているセンサ管理情報に従って、収集日時、収集した前記センサ２１の番号、収集したときの前記センサが正常、異常などの状態表示情報等を付加し、さらに前記情報検知装置１１の設置時に設定されるか、あるいは前記制御装置２を介して前記センター装置３から設定されるか、あるいは前記情報収集装置４により設定されるか、あるいは自立的に設定して、前記センサ管理情報蓄積回路２９に蓄積されているセンサ管理情報や前記運用パラメータ蓄積回路に蓄積されている運用パラメータ等を付加して、所定のフォーマットに整えて前記収集データ蓄積回路２４に送信し、前記収集データ蓄積回路２４はこのモニター情報を受信し蓄積する。
【００５４】
前記収集データ蓄積回路２４に蓄積されるデータのフォーマットの例を図６に示す。図６において、モニター情報１、モニター情報２、・・・モニター情報ｍの各々はモニターとしての前記センサ２１を構成するセンサ素子が１回の動作で収集したモニター情報である。
【００５５】
ここで、図６のデータフォーマットの領域１は外部から、または自立的に前記情報検知装置１１に設定するセンサ管理情報あるいは運用パラメータであり、さらに情報収集時間間隔、各センサの動作開始／動作停止などが含まれることもある。また、領域２は設定した運用パラメータに従って収集されたモニター情報および前記情報検知装置１１の状態を表示する情報である。
【００５６】
図６に示すデータのフォーマットにおいて、転送識別子は収集データの転送先として、前記センター装置３または前記情報収集装置４を指定するコードであり、情報検知装置番号はテレメトリシステムを設置した時に前記情報検知装置１１に割り当てられた同一テレメトリシステム内でのユニークな番号であり、センサ種別はデータを収集するモニターとしての前記センサ２１を構成するセンサ素子のガス圧力、ガス流量、温度など検知対象の種別を示すコードであり、センサ番号は前記情報検知装置１１のモニターとしての前記センサ２１を構成する前記センサ素子の各々に割り当てられたユニークなセンサ番号であり、測定データはモニターとしての前記センサ２１により検知されたモニター情報をデジタルデータ信号に変換したデータであり、収集日時は情報を収集した年月日時を示すデータであり、状態表示は情報を収集した時の前記情報検知装置１１の正常、異常の状態の表示と異常原因などを示すデータである。
【００５７】
前記データ転送管理回路２５は、図６に示すフォーマッットに整えられ蓄積されたモニター情報を前記収集データ蓄積回路２４から所定のタイミングで読み出し、モニター情報のラインごとに付加された転送識別子により指定される転送先を解析し、転送先を指定する情報とともにモニター情報を前記データ転送回路２６へ送信する。
【００５８】
前記データ転送回路２６は前記データ転送管理回路２５から受信した転送先を指定する情報に従って、受信したモニター情報を前記制御装置２へ送信する。このモニター情報は前記制御装置２を介して前記センター装置３へ送信され、前記センター装置３により配信情報や内容が編集されたモニター情報として、前記制御装置２を介して送信され、前記情報検知装置１１の前記データ転送回路２６はこれを受信し、前記データ転送管理回路２５へ送信する。前記データ転送管理回路２５は受信した配信情報や内容が編集されたモニター情報を前記収集データ蓄積回路２４へ送信し、前記収集データ蓄積回路２４はこの配信情報や内容が編集されたモニター情報を受信し蓄積する。その後、前記データ転送回路２６を介して前記センター装置３が指定した前記情報収集装置４から、配信情報や内容が編集されたモニター情報の送信要求を受信すると、前記データ転送管理回路２５は前記制御回路２８の制御により、該当する配信情報や内容が編集されたモニター情報を前記収集データ蓄積回路２４から読み出し、前記データ転送回路２６を介して該当する前記情報収集装置４へ送信する。
【００５９】
ここで、前記データ転送回路２６が前記制御装置２あるいは前記情報収集装置４と通信手段としては、例えば無線伝送方式あるいは有線伝送方式がある。例えば、無線伝送方式の場合はＢｌｕｅｔｏｏｔｈや無線ＬＡＮ等を使用することにより、複数の前記情報収集装置４と情報の送受信が可能となる。
【００６０】
一方、前記センター装置３が前記制御装置２を介して、あるいは前記情報収集装置４から、前記情報検知装置１１の動作を設定するセンサ管理情報や運用パラメータ等の情報が送信された場合、この情報は前記情報検知装置１１の前記データ転送回路２６が受信し、前記データ転送管理回路２５を介して前記制御回路２８が受信して、これらの情報を前記センサ管理情報蓄積回路２９あるいは前記運用パラメータ蓄積回路３１へ適切に蓄積する。
【００６１】
次に前記制御装置２の動作を図３を参照して説明する。図３に示す前記データ転送回路４１は１以上の前記情報検知装置１１が送信するモニター情報を受信し収集し、そのモニター情報を前記データ転送管理回路４２へ送信し、前記データ転送管理回路４２はモニター情報を受信し、さらに前記ネットワーク接続回路４３へ送信し、前記ネットワーク接続回路４３はモニター情報を受信し、さらに通信手段あるいはネットワークを介して前記センター装置３へ送信する。また、前記センター装置３から配信情報や内容が編集されたモニター情報、あるいは１以上の前記情報検知装置１１の機能を設定センサ管理情報や運用パラメータ等の情報が送信された場合、前記ネットワーク接続回路４３はこれらの情報を受信し、前記データ転送管理回路４２へ送信し、前記データ転送管理回路４２はこれらの情報を受信し、転送先を解析し、転送先を指定する情報とともに前記データ転送回路４１へ送信し、前記データ転送回路４１はこれらの情報を受信し、指定された前記情報検知装置１１へ送信する。
【００６２】
ここで、前記制御装置２と前記センター装置３との間の情報の送受信が例えばインターネットによる場合は、前記センター装置３のＩＰアドレスを付与したＩＰパケットに情報を格納し、必要に応じて管理情報も付加して送受信することも有効であり、さらに別の送受信手段としてはＰＨＳや携帯電話によるパケット通信を使用することも可能であり、この送受信手段は以下に述べる全ての本願発明の実施の形態のテレメトリシステムにおいて共通である。
【００６３】
次に、前記センター装置３の動作を図４を参照して説明する。図４において前記センター装置３は前記制御装置２が送信するモニター情報を受信し、解析し、かつ内部に記憶している情報を基に、モニター情報の配信先となる前記情報収集装置４を判断して、配信先を指定する配信情報や内容を編集したモニター情報として、前記制御装置２を介して指定された前記情報検知装置１１へ送信する。
【００６４】
さらに、前記センター装置３の前記制御回路７６は前記データ入出力回路７３を介して外部からのモニター情報または配信情報や内容を編集したモニター情報の送信要求信号を受信した場合、前記データ蓄積回路７２から読み出し、外部へ送信するとともに、外部から１以上の前記情報検知装置１１の機能を設定センサ管理情報や運用パラメータ等の情報を受信した場合、その情報を前記データ蓄積回路７２へ蓄積し、さらに所定のタイミングで１以上の前記情報検知装置１１の機能を設定するセンサ管理情報や運用パラメータ等の情報を前記データ転送回路７１を介して、さらに前記制御装置２を介して、指定された前記情報検知装置１１へ送信する。
【００６５】
次に、前記情報収集装置４の動作を図５を参照して説明する。例えば電力やガスのメーターの検針員が図５に示す前記情報収集装置４を携帯して、前記情報検知装置１１の近傍に行き、前記情報収集装置４の前記制御スイッチ６７を操作する。前記制御スイッチ６７の操作により、前記情報収集装置４の前記制御回路６６は前記内部バス６４を介して、前記データ転送回路６１を制御して、所定の１以上の前記情報検知装置１１に対して配信情報や内容を編集したモニター情報の送信要求信号を送信させる。この送信要求信号を受信した所定の１以上の前記情報検知装置１１が配信情報や内容を編集したモニター情報を送信した場合、前記情報収集装置４の前記データ転送回路６１は所定の１以上の前記情報検知装置１１が送信するモニター情報を受信し、収集して、前記データ蓄積回路６２へ蓄積する。また、前記データ入出力回路６３は外部から配信情報や内容を編集したモニター情報の送信要求信号を受信した場合、前記データ蓄積回路６２が蓄積する配信情報や内容を編集したモニター情報読み出し、外部へ送信する。一方、前記データ入出力回路６３を介して外部から１以上の前記情報検知装置１１の機能を設定するセンサ管理情報や運用パラメータ等の情報を受信し場合、その情報を前記データ蓄積回路６２へ蓄積する。さらに、前記制御回路６６は前記データ転送回路６１を制御して、前記データ蓄積回路６２に蓄積されている１以上の前記情報検知装置１１の機能を設定するセンサ管理情報や運用パラメータ等の情報を、該当する１以上の前記情報検知装置１１へ送信させる。これらの一連の動作は前記制御回路６６が制御する。
【００６６】
以上に述べた本願発明の実施の形態のテレメトリシステム全体の情報の流れを説明する。本願発明の実施の形態のテレメトリシステムの前記情報検知装置１１は、モニターとしての前記センサ２１を構成する前記センサ素子の各々が電力メーターあるいはガスメーターから使用量などの情報を検知して取得したモニター情報を、所定のフォーマットに整えるとともに、所定の情報を付加して前記制御装置２へ送信する。
【００６７】
前記制御装置２はこのモニター情報を受信し、前記センター装置３へ送信する。前記センター装置３はこのモニター情報を受信し、かつ前記センター装置３が蓄積する情報を基に、このモニター情報の配信先となる前記情報収集装置４を指定する配信情報や内容を編集して、前記制御装置２へ送信する。前記制御装置２は送信された配信情報や内容が編集されたモニター情報を受信し、解析し、該当する前記情報検知装置１１へ送信する。前記情報検知装置１１はこの送信されたモニター情報を受信し、蓄積し、待機する。
【００６８】
所定の前記情報収集装置４が前記情報検知装置１１へアクセスし、配信情報や内容が編集されたモニター情報の送信を要求した場合、前記情報検知装置１１は該当する配信情報や内容が編集されたモニター情報を該当する前記情報収集装置４へ送信する。
【００６９】
さらに前記情報検知装置１１の動作を設定するセンサ管理情報や運用するパラメータ等の情報は、前記情報検知装置１１の設置時または運用時に設定し、あるいは前記制御装置２を介して前記センター装置３が送信して設定し、あるいは前記情報収集装置４が送信して設定することができる。
【００７０】
以上述べたように、本願発明の実施の形態のテレメトリシステムは例えば電力メーターやガスメーターのモニター情報をセンター装置へ収集し、センター装置が蓄積する情報により内容を解析し、編集し、送信先の指定、料金計算、過剰に対するアラーム等の付加価値の高い情報として、送信先の収集装置へ確実に送信することにより、需要家の変更にも即時に対応し、確実に電力メーターあるいはガスメーターの使用量のモニター情報を収集できる。
【００７１】
（実施の形態２）
本願発明の他の実施の形態について添付の図を参照して説明する。本願発明の実施の形態のテレメトリシステムは、前記の本願発明の実施の形態１として説明したテレメトリシステムにおいて、前記情報検知装置と前記制御装置との間の送受信、及び前記情報検知装置と前記情報収集装置との間の送受信が無線伝送方式による場合である。
【００７２】
本願発明の実施の形態のテレメトリシステムの構成を添付の図を参照して説明する。本願発明の実施の形態のテレメトリシステムの構成は、先に図１により説明した本願発明の実施の形態のテレメトリシステムと同様であり、本願発明の実施の形態のテレメトリシステムは前記情報検知装置と前記制御装置との間の送受信、及び前記情報検知装置と前記情報収集装置との間の送受信が無線伝送方式による点が特徴である。
【００７３】
即ち、図１に示す本願発明の実施の形態のテレメトリシステムにおいて、前記情報検知装置１１と前記制御装置２との間の送受信、及び前記情報検知装置１１と前記情報収集装置４との間の送受信が無線伝送方式により行われる場合である。この無線伝送方式としては、例えばＰＨＳ、Ｂｌｕｅｔｏｏｔｈ、無線ＬＡＮ等などがある。
【００７４】
本願発明の実施の形態のテレメトリシステムの動作は、先に図１、図２、図３、図４、図５、図６により説明した本願発明の実施の形態のテレメトリシステムの動作と同様である。
【００７５】
以上説明したように、本願発明の実施の形態のテレメトリシステムは情報検知装置、情報収集装置、センター装置の間の情報の送受信を無線伝送方式で行うので、例えば電力、ガス等の需要家の変更や住宅事情に大きく左右されること無く、経済的に確実に電力メーターあるいはガスメーターに使用量の情報を収集できる。
【００７６】
（実施の形態３）
本願発明の他の実施の形態のテレメトリシステムについて添付の図を参照して説明する。本願発明の実施の形態のテレメトリシステムは前記の本願発明の実施の形態１として説明したテレメトリシステムにおいて、前記情報検知装置と前記制御装置との間の送受信、及び前記情報検知装置と前記情報収集装置との間の送受信が、前記情報検知装置が有するＲＦＩＤトランスポンダを経由する伝送方式による場合である。
【００７７】
本願発明の実施の形態のテレメトリシステムの構成を添付の図を参照して説明する。本願発明の実施の形態のテレメトリシステムの構成を図７に示す。図７において、本願発明の実施の形態のテレメトリシステムは１以上の情報検知装置１２、制御装置２、センター装置３、１以上の情報収集装置４により構成し、さらに１以上の情報検知装置１３を含むことがある。ここで、前記情報検知装置１２は前記制御装置２あるいは前記情報収集装置４と通信する機能を有するが、前記情報検知装置１３は前記情報検知装置１２とのみ通信する機能を有し、前記情報検知装置１３は前記情報検知装置１２を介して、前記制御装置２、あるいは前記情報収集装置４と通信する。
【００７８】
図７に示す前記情報検知装置１２と前記情報検知装置１３の構成をそれぞれ図８、図９に示す。図８に示す前記情報検知装置１２は図２により説明した前記情報検知装置１１と類似しており、前記情報検知装置１２は図２に示す前記情報検知装置１１から前記収集データ蓄積回路２４を取り除き、さらに前記データ転送回路２６を取り除きその代わりにリーダ／ライタ接続回路３２を加え、さらに前記リーダ／ライタ接続回路３２にリーダ／ライタ３３を信号線により接続して加え、さらにＲＦＩＤトランスポンダ３４を加えた構成である。一方、図９に示す前記情報検知装置１３の構成は図８に示す前記情報検知装置１２から、前記ＲＦＩＤトランスポンダ３４を取り除いた構成である。
【００７９】
前記制御装置２の構成を図１０に示す。前記制御装置２は、先に図３により説明した本願発明の実施の形態のテレメトリシステムの前記制御装置２の前記データ転送回路４１の代わりに前記データ転送回路４０を設置し、前記データ転送回路４０に信号線によりリーダ／ライタ４７を接続した構成である。ここで、図１０に示す前記制御装置２の前記データ転送回路４０は図３に示す前記制御装置２の前記データ転送回路４１から前記情報検知装置１１との情報を送受信する機能を取り除いた機能であり、前記データ転送回路４０は信号線により接続したリーダ／ライタ４７を介して前記情報検知装置１２と情報を送受信する。
前記センター装置３の構成は先に図４により説明した前記センター装置３と同様の構成である。
【００８０】
前記情報収集装置４の構成を図１１に示す。図１１に示す前記情報収集装置４は、先に図５により説明した本願発明の実施の形態のテレメトリシステムの前記情報収集装置４の前記データ転送回路６１の代わりに図１１に示す前記データ転送回路６０を設置し、さらに前記データ転送回路６０に信号線によりリーダ／ライタ６８を接続した構成である。ここで図１１に示す前記情報収集装置４の前記データ転送回路６０は図５に示す前記情報収集装置４の前記データ転送回路６１の前記情報検知装置１１との情報の送受信機能を取り除いたものであり、前記データ転送回路６０は信号線により接続したリーダ／ライタ６８を介して前記情報検知装置１２と情報を送受信する。
【００８１】
以上説明した構成においてＲＦＩＤトランスポンダはＩＳＯ／ＩＥＣにより標準化されているＲＦＩＤを用いたトランスポンダであり、電源を必要とする型式、あるいは電源を外部から無線により供給する型式のいずれでもよい。
【００８２】
本願発明の実施の形態のテレメトリシステムを構成する各装置の機能を添付の図を参照して説明する。前記情報検知装置１２を構成する各回路の機能を図８を参照して説明する。図８に示す前記情報検知装置１２を構成する回路の機能は、先に図２により説明した前記情報検知装置１１と類似しているので、異なる点を説明する。図８において、モニターとしてのセンサ２１、信号変換回路２２、データ収集回路２３、内部バス２７、制御回路２８、センサ管理情報蓄積回路２９、時間情報回路３０、運用パラメータ蓄積回路３１の機能は図２により説明した前記情報検知装置１１の場合と同様の機能である。
【００８３】
一方、図８に示す前記情報検知装置１２には図２に示す前記情報検知装置１１の前記収集データ蓄積回路２４は無く、前記情報検知装置１２のデータ転送管理回路２５は前記データ収集回路２３が送信するモニター情報を受信し、前記リーダ／ライタ接続回路３２へ送信するとともに、前記リーダ／ライタ接続回路３２が送信する前記情報検知装置１２の動作を設定するセンサ管理情報や運用するパラメータの情報等を受信し、前記制御回路２８へ送信する機能を有する。
【００８４】
前記リーダ／ライタ接続回路３２は前記データ転送管理回路２５が送信するモニター情報を受信し、前記前記リーダ／ライタ３３へ送信するとともに、前記前記リーダ／ライタ３３が送信する前記情報検知装置１２の動作を設定するセンサ管理情報や運用するパラメータ等の情報を受信し、データ転送管理回路２５へ送信する機能を有する。前記リーダ／ライタ３３は前記リーダ／ライタ接続回路３２が送信するモニター情報を受信し前記ＲＦＩＤトランスポンダ３４へ書き込むとともに、前記ＲＦＩＤトランスポンダ３４から、前記情報検知装置１２の動作を設定するセンサ管理情報や運用するパラメータ等の情報を読み出し、前記リーダ／ライタ接続回路３２へ送信する機能を有する。ここで、前記ＲＦＩＤトランスポンダ３４から前記前記リーダ／ライタ３３へ、さらに前記リーダ／ライタ接続回路３２へ、さらにデータ転送管理回路２５へ送信される前記情報検知装置１２の動作を設定するセンサ管理情報や運用するパラメータ等の情報は、本願発明の実施の形態１のテレメトリシステムにおいて説明した情報と同様な、前記情報検知装置１２の動作を設定する情報であり、前記制御装置２を介して前記センター装置３が送信し、あるいは前記情報収集装置４が送信し、設定する情報である。
【００８５】
前記情報検知装置１２の前記ＲＦＩＤトランスポンダ３４は前記リーダ／ライタ３３からの書き込みによりモニター情報を蓄積し、図１０に示す前記制御装置２の前記リーダ／ライタ４７からの読み出しによりモニター情報を前記制御装置２へ送信し、前記制御装置２の前記リーダ／ライタ４７あるいは図１１に示す前記情報収集装置４のリーダ／ライタ６８からの書き込みにより前記情報検知装置１２の動作を設定するセンサ管理情報や運用するパラメータ等の情報を蓄積し、さらに前記情報検知装置１２の前記リーダ／ライタ３３からの読み出しにより、前記情報検知装置１２の動作を設定するセンサ管理情報や運用するパラメータの情報を前記リーダ／ライタ３３へ送信し、さらに前記センター装置３から送信され前記制御装置２の前記リーダ／ライタ４７が書き込む配信情報や内容が編集されたモニター情報を蓄積し、さらに所定の前記情報収集装置４のリーダ／ライタ６８からの読み出しにより配信情報や内容が編集されたモニター情報を所定の前記情報収集装置４へ送信する機能を有する。
【００８６】
さらに前記情報検知装置１２の前記ＲＦＩＤトランスポンダ３４は、次に図９により説明する前記情報検知装置１３のとの間で書き込み、読み出しにより情報を送受信する機能を有する。前記情報検知装置１３を構成する各回路の機能を図９により説明する。図９に示す前記情報検知装置１３の構成は、先に図８により説明した前記情報検知装置１２から前記ＲＦＩＤトランスポンダ３４を取り除いた構成であり、前記ＲＦＩＤトランスポンダ３４以外の前記情報検知装置１３を構成する回路の機能は前記情報検知装置１２と同様である。前記情報検知装置１３の前記リーダ／ライタ３３は図８に示す前記情報検知装置１２の前記ＲＦＩＤトランスポンダ３４への書き込みによりモニター情報を送信し、前記センター装置３から送信され前記制御装置２の前記リーダ／ライタ４７によりあるいは前記情報収集装置４のリーダ／ライタ６８により書き込まれる前記情報検知装置１３の動作を設定するセンサ管理情報や運用するパラメータ等の情報を前記ＲＦＩＤトランスポンダ３４から読み出し受信する機能を有する。前記情報検知装置１３の前記リーダ／ライタ３３以外の各回路の機能は前記情報検知装置１２の対応する各回路の機能と同様である。
【００８７】
前記制御装置２を構成する回路の機能を図１０により説明する。図１０において、前記制御装置２の前記リーダ／ライタ４７は図８に示す前記情報検知装置１２の前記ＲＦＩＤトランスポンダ３４との間で、前記情報検知装置１２および前記情報検知装置１３により書き込まれたモニター情報の読み出し、前記情報検知装置１２および前記情報検知装置１３のモニター情報を前記センター装置３が編集し前記センター装置３から送信された配信情報や内容が編集されたモニター情報の書き込み、および前記情報検知装置１２および前記情報検知装置１３の動作を設定するセンサ管理情報や運用するパラメータ等の情報の書き込みの機能を有する。前記リーダ／ライタ４７以外の回路の機能は、先に図３により説明した前記制御装置２と同様である。
【００８８】
前記情報収集装置４を構成する回路の機能を図１１により説明する。図１１に示す前記情報収集装置４の前記リーダ／ライタ６８は図８に示す前記情報検知装置１２の前記ＲＦＩＤトランスポンダ３４から、前記情報検知装置１２および前記情報検知装置１３のモニター情報を前記センター装置３が編集し前記制御装置２を介して前記ＲＦＩＤトランスポンダ３４へ書き込まれた配信情報や内容が編集されたモニター情報を読み出し、かつ前記情報検知装置１２および前記情報検知装置１３の動作を設定するセンサ管理情報や運用するパラメータ等の情報を、前記ＲＦＩＤトランスポンダ３４へ書き込む機能を有する。図１１に示す前記情報収集装置４の前記リーダ／ライタ６８以外の回路の機能は、先に図５により説明した前記情報収集装置４と同様である。
【００８９】
本願発明の実施の形態のテレメトリシステムの動作を添付の図を参照して説明する。本願発明の実施の形態のテレメトリシステムの動作は、先に説明した本願発明の実施の形態１と類似しているので、概要を図７、図８、図９、図１０、図１１により説明する。
【００９０】
図８示す前記情報検知装置１２のモニターとしての前記センサ２１、信号変換回路２２、データ収集回路２３、内部バス２７、制御回路２８、センサ管理情報蓄積回路２９、時間情報回路３０、運用パラメータ蓄積回路３１の動作は、先に図２により説明した前記情報検知装置１１の場合と同様である。前記データ収集回路２３は前記信号変換回路２２から受信したモニター情報を図６により説明したデータフォーマットに整えて、さらに外部への送信指示情報とともに前記データ転送管理回路２５へ送信し、前記データ転送管理回路２５は受信したモニター情報を、前記リーダ／ライタ接続回路３２を介して、前記リーダ／ライタ３３へ送信し、前記リーダ／ライタ３３はこの送信指示に基づいて、モニター情報を前記ＲＦＩＤトランスポンダ３４へ書き込み、前記ＲＦＩＤトランスポンダ３４はこのモニター情報を受信し、蓄積する。
【００９１】
前記制御装置２の前記リーダ／ライタ４７は図８に示す前記情報検知装置１２の前記ＲＦＩＤトランスポンダ３４からモニター情報を読み出し、前記センター装置３へ送信する。前記センター装置３はこのモニター情報を受信し、解析し、かつ前記センター装置３が蓄積する情報に基づいて、受信したモニター情報の配信先となる前記情報収集装置４を指定する配信情報や内容を編集して、前記制御装置２へ送信する。前記制御装置２は前記センター装置３から送信された配信情報や内容を編集されたモニター情報を受信し、図１０に示す前記リーダ／ライタ４７を介して、指定された前記情報検知装置１２の前記ＲＦＩＤトランスポンダ３４へ書き込む。前記情報検知装置１２の前記ＲＦＩＤトランスポンダ３４に蓄積された配信情報や内容を編集されたモニター情報は所定の前記情報収集装置４により読み出され、情報収集装置４に蓄積され、所定の手順で情報収集装置４の外部へ取り出される。
【００９２】
また、前記情報検知装置１２の動作を設定するセンサ管理情報や運用パラメータ等の情報は、前記センター装置３が前記制御装置２の前記リーダ／ライタ４７を介して、あるいは前記情報収集装置４の前記リーダ／ライタ６８が、前記情報検知装置１２の前記ＲＦＩＤトランスポンダ３４に書き込み蓄積され、前記情報検知装置１２の前記制御回路２８の指示により、前記リーダ／ライタ３３が前記ＲＦＩＤトランスポンダ３４から読み出し、前記センサ管理情報蓄積回路２９または前記運用パラメータ蓄積回路３１へ蓄積する。
【００９３】
一方、本願発明の実施の形態のテレメトリシステムに含まれることがある１以上の前記情報検知装置１３のモニターとしての前記センサ２１から前記リーダ／ライタ接続回路３２までの動作は前記情報検知装置１２と同様であり、前記情報検知装置１３の前記リーダ／ライタ３３は前記リーダ／ライタ接続回路３２から受信したモニター情報を所定の前記情報検知装置１２の前記ＲＦＩＤトランスポンダ３４へ書き込む。さらに所定の前記情報検知装置１２の前記ＲＦＩＤトランスポンダ３４へ書き込まれた前記情報検知装置１３のモニター情報は前記情報検知装置１２の場合と同様に、所定の情報収集装置４に蓄積され、所定の手順で情報収集装置４の外部へ取り出される。
【００９４】
さらに、前記情報検知装置１３の動作を設定するセンサ管理情報や運用パラメータ等の情報は、前記センター装置３が前記制御装置２の前記リーダ／ライタ４７を介して、あるいは前記情報収集装置４の前記リーダ／ライタ６８が、所定の前記情報検知装置１２の前記ＲＦＩＤトランスポンダ３４に書き込み、前記情報検知装置１３の前記制御回路２８の指示により、前記情報検知装置１３の前記リーダ／ライタ３３が所定の前記情報検知装置１２の前記ＲＦＩＤトランスポンダ３４から読み出し、前記情報検知装置１３の前記センサ管理情報蓄積回路２９または前記運用パラメータ蓄積回路３１へ蓄積する。
【００９５】
以上の本願発明の実施の形態のテレメトリシステムの動作において、前記情報検知装置１２および前記情報検知装置１３の前記リーダ／ライタ３３、前記制御装置２の前記リーダ／ライタ４７、前記情報収集装置４の前記リーダ／ライタ６８と、前記情報検知装置１２の前記ＲＦＩＤトランスポンダ３４の間の情報の書き込み、読み出しにおいては、相互に通信相手を確認する手段として、例えば、ＩＳＯ／ＩＥＣ９７９８７−２による相互認証が有効である。また、前記情報検知装置１２、前記情報検知装置１３、前記制御装置２、前記情報収集装置４の間のモニター情報などの送受信においては、図６に示すモニター情報のデータ−フォーマットの中の転送識別子により、認証を行うことが有効であり、さらにモニター情報を暗号化することも一層有効である。
【００９６】
また、前記情報検知装置１２の前記ＲＦＩＤトランスポンダ３４内におけるモニター情報の格納方法の例として、ＲＦＩＤメモリマップを図１２に示す。図１２に示すように前記ＲＦＩＤトランスポンダ３４のメモリのエリアは区切って各々の前記情報検知装置１２に割り当て（図１２においては例として情報検知装置Ａ、Ｂ・・・Ｍと表示）、データは先に図４に示したデータフォーマットに整えて格納する。さらに、前記情報検知装置１２、前記情報検知装置１３の動作を設定しあるいは変更する情報は、例えば、図１２に示すシステムの共通アリアへ書き込むことが有効である。
【００９７】
前記情報検知装置１２の前記ＲＦＩＤトランスポンダ３４のメモリマップにおけるそれぞれの情報検知装置やシステム共通のエリアの境界を設定する方法としては、リーダ／ライタから書き込み、読み出し可能なトランスポンダ内のメモリのアドレスを予めそれぞれの情報検知装置や共通エリアに割り付けて、各情報検知装置が割り付けられたアドレスで管理する方法、あるいは予めメモリをセグメントに分割しておき、それぞれに異なった秘密キーを設定し、秘密キーにより許可された情報検知装置が許可されたエリアに書き込むなどの方法などが有効である。
【００９８】
以上述べた方法によると、１以上の前記情報検知装置１２、前記制御装置２、前記情報収集装置４の間、あるいは１以上の前記情報検知装置１３が含まれる場合は、１以上の前記情報検知装置１２、前記制御装置２、前記情報収集装置４、１以上の前記情報検知装置１３の間、のマルチアクセス動作を、前記情報検知装置１２の前記ＲＦＩＤトランスポンダ３４と複数のリーダ／ライトの間の制御プロトコルで実現するので、通信システムの複雑なマルチアクセスプロトコルを用いることなく円滑な情報収集が可能となる。また複数の収集したモニター情報を前記情報検知装置１２の前記ＲＦＩＤトランスポンダ３４のメモリ上に一元化することにより収集したモニター情報等の蓄積の混乱を避け、大幅に簡素化でき、周辺の装置の簡略化が可能となる。
また、収集したデータの転送の開始、停止などの転送制御は前記情報検知装置１２の前記ＲＦＩＤトランスポンダ３４への書き込みの有無で制御可能であるのでシステムの動作管理が簡単になるなどの利点がある。
【００９９】
以上述べたように、本願発明の実施の形態のテレメトリシステムは情報検知装置、センター装置、情報収集装置の間の情報の送受信を、安価で小型で、かつ設置の容易なＲＦＩＤトランスポンダを経由する伝送方式により行うので、例えば電力、ガス等の需要家の変更や住宅事情に大きく左右されること無く、より経済的に確実に電力メーターあるいはガスメーターの使用量のモニター情報を収集できる。
【０１００】
（実施の形態４）
本願発明の他の実施の形態のテレメトリシステムについて添付の図を参照して説明する。本願発明の実施の形態のテレメトリシステムは前記の本願発明の実施の形態１として説明したテレメトリシステムにおいて、前記情報検知装置から前記制御装置の間の送信は無線伝送方式により、前記制御装置から前記情報検知装置への送信、及び前記情報検知装置から前記情報収集装置への送信が、前記情報検知装置の有するＲＦＩＤトランスポンダを経由する伝送方式によるテレメトリシステムである。
【０１０１】
本願発明の実施の形態のテレメトリシステムの構成を添付の図を参照して説明する。本願発明の実施の形態のテレメトリシステムの構成を図１３に示す。図１３において、本願発明の実施の形態のテレメトリシステムは１以上の情報検知装置１４、制御装置２、センター装置３、１以上の情報収集装置４により構成し、さらに１以上の情報検知装置１５を含むことがある。本願発明の実施の形態のテレメトリシステムは先に図７、図８、図９、図１０、図１１、図１２により説明した本願発明の実施の形態３のテレメトリシステムと類似であるが、図１３に示す本願発明の実施の形態のテレメトリシステムは前記情報検知装置１４から前記制御装置２の間の送信は無線伝送方式により、前記制御装置２から前記情報検知装置１４への送信、及び前記情報検知装置１４から前記情報収集装置４への送信が、前記情報検知装置の有するＲＦＩＤトランスポンダを経由する点が特徴である。
【０１０２】
前記情報検知装置１４の構成を図１４により説明する。図１４に示す前記情報検知装置１４の構成は図８により説明した前記情報検知装置１２と類似であり、図８に示す前記情報検知装置１２の前記データ転送管理回路２５に、さらに信号線により無線送信回路５１を接続して加え、さらに前記無線送信回路５１に信号線によりアンテナ５２を接続して加えた構成であり、他は図８に示す前記情報検知装置１２と同様の構成である。
【０１０３】
前記情報検知装置１５の構成を図１５により説明する。図１５に示す前記情報検知装置１５の構成は図１４により説明した前記情報検知装置１４のＲＦＩＤトランスポンダ３４を取り除いた構成であり、他は前記情報検知装置１４と同様の構成である。
【０１０４】
前記制御装置２の構成を図１６により説明する。図１６に示す前記制御装置２の構成は図１０により説明した前前記制御装置２の前記データ転送回路４１に、さらに信号線により無線受信回路５３を接続して加え、さらに前記無線受信回路５３に信号線によりアンテナ５４を接続して加えた構成であり、他は図１０に示す前記制御装置２と同様の構成である。
【０１０５】
前記センター装置３の構成は図３により説明した前記センター装置３と同様であり、また前記情報収集装置４の構成は図１１により説明した前記情報収集装置４と同様である。
【０１０６】
本願発明の実施の形態のテレメトリシステムを構成する各装置の機能を説明する。前記情報検知装置１４の機能を図１４により説明する。前記情報検知装置１４の前記無線送信回路５１は、前記データ転送管理回路２５が送信するモニター情報受信し、前記データ転送管理回路２５の指示により、そのモニター情報を前記アンテナ５２を介して前記制御装置２へ送信する機能を有する。このように前記情報検知装置１４が収集したモニター情報を前記データ転送管理回路２５の指示により前記無線送信回路５１、前記アンテナ５２を介して前記制御装置２へ送信する以外の機能は図８により説明した前記情報検知装置１２と同様である。
【０１０７】
前記情報検知装置１５の機能を図１５により説明する。前記情報検知装置１５の無線送信回路５１、アンテナ５２の機能は図１４に示す前記情報検知装置１４の前記無線送信回路５１、前記アンテナ５２と同様である。このように前記情報検知装置１５が収集したモニター情報を前記無線送信回路５１、前記アンテナ５２を介して前記制御装置２へ送信する以外の機能は図９により説明した前記情報検知装置１３と同様である。
【０１０８】
前記制御装置２の機能を図１６により説明する。前記制御装置２の前記無線受信回路５３は前記アンテナ５４を介して前記情報検知装置１４または前記情報検知装置１５が送信するモニター情報を受信して、前記制御装置２の前記データ転送回路４１へ送信する機能を有する。このような前記制御装置２の前記無線受信回路５３、前記アンテナ５４以外の前記制御装置２の機能は図１０により説明した前記制御装置２の機能と同様である。
【０１０９】
ここで、前記情報検知装置１４および前記情報検知装置１５から前記制御装置２へ情報を伝達する無線通信方式は例えば、ＰＨＳ、Ｂｌｕｅｔｏｏｔｈ、や無線ＬＡＮなどでもよい。
【０１１０】
前記センター装置３の機能は図３により説明した前記センター装置３と同様であり、また前記情報収集装置４の機能は図１１により説明した前記情報収集装置４と同様である。
【０１１１】
本願発明の実施の形態のテレメトリシステムの動作を添付の図を参照して説明する。図１４に示す本願発明の実施の形態のテレメトリシステムの１以上の前記情報検知装置１４は収集したモニター情報を無線通信方式により前記制御装置２へ送信し、また本願発明の実施の形態のテレメトリシステムが１以上の前記情報検知装置１５を含む場合、前記情報検知装置１５は収集したモニター情報を無線通信方式により前記制御装置２へ送信する。このように前記情報検知装置１４および前記情報検知装置１５が収集したモニター情報を無線通信方式により前記制御装置２へ送信する動作以外の動作は図７、図８、図９、図１０、図１１、図１２により説明した本願発明の実施の形態のテレメトリシステムの動作と同様である。
【０１１２】
以上述べたように、本願発明の実施の形態のテレメトリシステムは、情報検知装置からセンター装置の間の送信は比較的高価であるが、信頼性の高い無線送信方式を使用し、制御装置から情報検知装置への送信、及び情報検知装置から情報収集装置への送信には小型、安価で、設置の容易なＲＦＩＤトランスポンダを経由する伝送方式を使用しているので、例えば電力、ガス等の需要家の変更や住宅事情に大きく左右されること無く、より経済的に、より確実に電力メーターあるいはガスメーターに使用量のモニター情報を収集できる。
【０１１３】
（実施の形態５）
本願発明の他の実施の形態について添付の図を参照して説明する。本願発明の実施の形態のテレメトリシステムは本願発明の実施の形態４として説明したテレメトリシステムにおいて、前記情報検知装置が配信先ごとに異なるＲＦＩＤトランスポンダを有することを特徴とするテレメトリシステムである。
【０１１４】
本願発明の実施の形態のテレメトリシステムの構成を図１７に示す。図１７に示す本願発明の実施の形態のテレメトリシステムの構成は、先に図１３により説明した本願発明の実施の形態のテレメトリシステムの構成と類似であり、異なる点は図１７に示す前記情報検知装置１６の前記ＲＦＩＤトランスポンダ３４が、対応する情報収集装置ごとに設置されている点であり、他の部分は図１３より説明した本願発明の実施の形態のテレメトリシステムと同様の構成である。
【０１１５】
前記情報検知装置１６の構成を図１８により説明する。図１８に示す前記情報検知装置１６は、先に図１４により説明した本願発明の実施の形態のテレメトリシステムの前記情報検知装置１４と類似であり、図１８に示す前記情報検知装置１６は前記ＲＦＩＤトランスポンダ３４を、対応する前記情報収集装置４ごとに設置している点が異なりのみで、他の構成は図１４に示す前記情報検知装置１４と同様である。さらに前記情報検知装置１７の構成は図１５により説明した前記情報検知装置１５と同様である。
【０１１６】
図１７に示す本願発明の実施の形態のテレメトリシステムの前記制御装置２および前記情報収集装置４の構成は図１３に示す前記制御装置２および前記情報収集装置４と同様である。
【０１１７】
本願発明の実施の形態のテレメトリシステムの動作を図１７、図１８により説明する。本願発明の実施の形態のテレメトリシステムの前記情報検知装置１６、あるいは前記情報検知装置１７の検知したモニター情報は図１３により説明した本願発明の実施の形態のテレメトリシステムと同様の動作により、配信情報や内容を編集したモニター情報として、前記センター装置３から送信され、前記制御装置２が受信する。前記制御装置２は前記センター装置３から配信情報や内容を編集したモニター情報を受信し、その受信した情報を前記制御装置２の前記リーダ／ライタ４７を介して、図１８に示す前記情報検知装置１６に設置されている前記ＲＦＩＤトランスポンダ３４の中の指定された前記情報収集装置４に対応する前記ＲＦＩＤトランスポンダ３４へ書き込む。
【０１１８】
一方、所定の前記情報収集装置４は前記リーダ／ライタ６８を介して前記情報検知装置１６に設置されている前記ＲＦＩＤトランスポンダ３４の中の対応する前記ＲＦＩＤトランスポンダ３４から配信情報や内容が編集されたモニター情報を読み出す。
【０１１９】
また、前記センター装置３から前記制御装置２へ送信される前記情報検知装置１６の動作を設定するセンサ管理情報や運用パラメータ等の情報は前記制御装置２の前記リーダ／ライタ４７を介して、前記情報検知装置１６の所定の前記ＲＦＩＤトランスポンダ３４に書き込まれ、前記情報検知装置１６の前記リーダ／ライタ３３により読み出される。さらに、前記センター装置３から前記制御装置２へ送信される前記情報検知装置１７の動作を設定するセンサ管理情報や運用パラメータの情報は前記制御装置２の前記リーダ／ライタ４７を介して、前記情報検知装置１６の所定の前記ＲＦＩＤトランスポンダ３４に書き込まれ、前記情報検知装置１７の前記リーダ／ライタ３３により読み出される。
【０１２０】
また、前記情報収集装置４から前記情報検知装置１６および前記情報検知装置１７の動作を設定するセンサ管理情報や運用パラメータの情報は前記情報収集装置４の前記リーダ／ライタ６８を介して前記情報検知装置１６に設置されている前記ＲＦＩＤトランスポンダ３４の中の前記情報収集装置４に対応する前記ＲＦＩＤトランスポンダ３４に書き込まれ、前記情報検知装置１６および前記情報検知装置１７の前記リーダ／ライタ３３により読み出される。
【０１２１】
本願発明の実施の形態のテレメトリシステムの上記の動作以外は、先に図１３により説明した本願発明の実施の形態のテレメトリシステムの動作と同様である。
【０１２２】
以上説明したように、本願発明の実施の形態のテレメトリシステムは所定の前記情報収集装置４に対応して個別に前記ＲＦＩＤトランスポンダ３４を設置するので、例えば電力あるいはガスの供給事業者は独自に、小型で安価なＲＦＩＤトランスポンダに前記情報収集装置４の運用パラメータ等を設定して、前記情報収集装置４の近傍に、容易に設置、あるいは削除できるので、前記情報収集装置４の機器を変更することなく、サービスの変更に迅速に対応できる。
【０１２３】
以上説明したように、本願発明の実施の形態のテレメトリシステムは本願発明の実施の形態のテレメトリシステムは情報検知装置からモニター情報を読み出すＲＦＩＤトランスポンダを配信先ごとに設置しているので、例えば電力、ガス等の供給事業者のサービスの変更および需要家の変更や住宅事情に大きく左右されることなく、より経済的に、かつ異なる事業者間のモニター情報の誤配送を防ぎ、一層確実に電力メーターあるいはガスメーターの使用量の情報を収集できる。
【０１２４】
【発明の効果】
以上説明したように、本発明によれば、例えば電力、ガス等メーターのモニター情報を収集するテレメトリシステムの装置の運用パラメータの設定をセンター装置からの遠隔によるダウンロードにより効率的経済的に実施できる。さらに、需要家や事業者サービスの変更によるモニター情報の追加や削除は、テレメトリシステムの装置の増設や削減などを伴わず、センター事務所において運用パラメータを予め設定したＲＦＩＤトランスポンダを入手し、該当する情報検知装置の近傍に設置し、削除することにより実施可能となる。特にＲＦＩＤトランスポンダは小型、経済的であり、例えば壁の中やマンホールの蓋などにも設置可能であり、本発明のテレメトリシステムは、需要家の住宅事情に大きく左右されること無く情報を収集し可能である。また、事業者毎にＲＦＩＤトランスポンダを設置すれば、サービスの変更などの工事において事業者の自由度が大きく、またメーターの検針者の自由度も大きくなる。
【０１２５】
従って、本発明によれば、例えば電力、ガス等の複数のモニター情報を効率良く、かつ経済的に、柔軟に収集できるテレメトリシステムを提供できる。
【図面の簡単な説明】
【図１】本願発明の実施の形態のテレメトリシステムの構成を示す図である。
【図２】本願発明の実施の形態のテレメトリシステムの情報検知装置の構成を示す図である。
【図３】本願発明の実施の形態のテレメトリシステムの制御装置の構成を示す図である。
【図４】本願発明の実施の形態のテレメトリシステムのセンター装置の構成を示す図である。
【図５】本願発明の他の実施の形態のテレメトリシステムの情報収集装置の構成を示す図である。
【図６】本願発明の他の実施の形態のテレメトリシステムの情報検知装置に蓄積されるデータフォーマットを示す図である。
【図７】本願発明の他の実施の形態のテレメトリシステムの構成を示す図である。
【図８】本願発明の他の実施の形態のテレメトリシステムの情報検知装置の構成を示す図である。
【図９】本願発明の他の実施の形態のテレメトリシステムの情報検知装置の構成を示す図である。
【図１０】本願発明の他の実施の形態のテレメトリシステムの制御装置の構成を示す図である。
【図１１】本願発明の他の実施の形態のテレメトリシステムの情報収集装置の構成を示す図である。
【図１２】本願発明の他の実施の形態のテレメトリシステムのＲＦＩＤメモリマップの例を示す図である。
【図１３】本願発明の他の実施の形態のテレメトリシステムの構成を示す図である。
【図１４】本願発明の他の実施の形態のテレメトリシステムの情報検知装置の構成を示す図である。
【図１５】本願発明の他の実施の形態のテレメトリシステムの情報検知装置の構成を示す図である。
【図１６】本願発明の他の実施の形態のテレメトリシステムの制御装置の構成を示す図である。
【図１７】本願発明の他の実施の形態のテレメトリシステムの構成を示す図である。
【図１８】本願発明の他の実施の形態のテレメトリシステムの情報検知装置の構成を示す図である。
【図１９】従来技術の構成を示す図である。
【符号の説明】
２：制御装置
３：センター装置
４：情報収集装置
１１：情報検知装置
１２：情報検知装置
１３：情報検知装置
１４：情報検知装置
１５：情報検知装置
１６：情報検知装置
１７：情報検知装置
２１：センサ
２２：信号変換回路
２３：データ収集回路
２４：収集データ蓄積回路
２５：データ転送管理回路
２６：データ転送回路
２７：内部バス
２８：制御回路
２９：センサ管情報蓄積回路
３０：時間情報回路
３１：運用パラメータ蓄積回路
３２：リーダ／ライタ接続回路
３３：リーダ／ライタ
３４：ＲＦＩＤトランスポンダ
４０：データ転送回路
４１：データ転送回路
４２：データ転送管理回路
４３：ネットワーク接続回路
４４：前記内部バス
４５：時間情報回路
４６：制御回路
４７：リーダ／ライタ
５１：無線送信回路
５２：アンテナ
５３：無線受信回路
５４：アンテナ
６０：データ転送回路
６１：データ転送回路
６２：データ蓄積回路
６３：データ入出力回路
６４：内部バス
６５：時間情報回路
６６：制御回路
６７：制御スイッチ
６８：リーダ／ライタ
７１：データ転送回路
７２：データ蓄積回路
７３：データ入出力回路
７４：内部バス
７５：時間情報回路
７６：制御回路
１０１：需要家システム
１０２：供給事業者システム
１０３：データ収集センター
１０４：決済機関システム
【図１】
2004363949.tif 000003
【図２】
2004363949.tif 000004
【図３】
2004363949.tif 000005
【図４】
2004363949.tif 000006
【図５】
2004363949.tif 000007
【図６】
2004363949.tif 000008
【図７】
2004363949.tif 000009
【図８】
2004363949.tif 000010
【図９】
2004363949.tif 000011
【図１０】
2004363949.tif 000012
【図１１】
2004363949.tif 000013
【図１２】
2004363949.tif 000014
【図１３】
2004363949.tif 000015
【図１４】
2004363949.tif 000016
【図１５】
2004363949.tif 000017
【図１６】
2004363949.tif 000018
【図１７】
2004363949.tif 000019
【図１８】
2004363949.tif 000020
【図１９】
2004363949.tif 000021